(57)【要約】【課題】  浴槽、洗面台ボウルなどの底面には、排水口に排水口金具を挿着した際、排水口金具のフランジとの間に仕切目地を形成する。この仕切目地が顕われないようにするために陥没部を形成し、その陥没部の底面に排水口を設け、フランジ付き排水口金具を挿着したが、このフランジとの仕切目地をないようにすることができなかった。そして、この仕切目地に塵芥などが溜ることになって不都合である。【解決手段】  水槽底面に陥没部を形成し、該陥没部の底面の排水口縁が排水口金具と排水管に接続する接続部材とをもって固定され、該陥没部底面の排水口縁が固定された排水口金具のフランジには、頂面及び外側周面に水槽と同色で軟硬質のモール材をモールし、陥没部側周面との間隙でなる仕切目地が埋められ、シームレス化し、塵芥などが溜まらないようにする排水口構造である。【選択図】図１
2010037919.tif 000002
【特許請求の範囲】
【請求項１】
水槽底面に陥没部を形成し、該陥没部底面の排水口縁が排水口金具と排水管に接続する接続部材とをもって固定され、該陥没部底面の排水口縁を固定した排水口金具のフランジ頂面及び外側周面には、軟硬質のモール材がモールされ、陥没部との間隙を埋め、シームレスにすることを特徴とする排水口構造。
【請求項２】
排水口金具のフランジ頂面及び外側周面には、予め、軟硬質のモール材をモールし、該モール材付き排水口金具と排水管に接続する接続部材とをもって、陥没部底面の排水口縁が固定され、フランジ頂面及び外側周面にモールされたモール材を陥没部に馴染ませてシームレス化することを特徴とする排水口構造。
【請求項３】
排水口金具のフランジには、その頂面、外側周面、及び内側周面に軟硬質のモール材がモールされることを特徴とする請求項１乃至２のいずれか１項記載の排水口構造。
【請求項４】
排水口金具のフランジには、その外側周面と底面とに水槽と同色で軟硬質のモール材がモールされることを特徴とする請求項２記載の排水口構造。
【請求項５】
排水口金具のフランジには、その頂面、外側周面、内側周面、及び底面に水槽と同色で軟硬質のモール材がモールされることを特徴とする請求項２記載の排水口構造。
【発明の詳細な説明】
【技術分野】
【０００１】  本発明は、浴槽及び洗面台ボウルなどの排水口に排水口金具が取付けられ、該排水口金具と、排水管を接続する接続部材とをもって排水口縁が固定されてなる排水口構造に関するものである。
【背景技術】
【０００２】  従来、浴槽、洗面台などの排水口構造は、その浴槽、洗面台ボウルなどの排水口にフランジ付き排水口金具を挿着し、排水口縁が、パッキンを介在させて、該排水口金具のフランジと、締着部材とによって締着されていた。
しかし、この排水口構造では、排水口金具のフランジと、浴槽、洗面台ボウルなどの底面との間の仕切目地に塵芥などが溜り、カビを発生し、揚句は、汚れの原因となっていた。【０００３】  そこで、仕切目地に塵芥などが溜り、カビを発生し、水垢による汚れが生じることを防止するために、浴槽、洗面台ボウルなどの底面にある排水口部分を陥没して陥没部が形成され、該陥没部の底面に排水口を設ける。そして、陥没部底面の排水口に排水口金具を挿着し、該陥没部底面の排水口縁が排水口金具と締着部材とをもって締着固定されている。
よって、排水口金具のフランジと陥没部底面との仕切目地が、陥没部内にあって、浴槽、洗面台ボウルなどの底面表面に顕われていないので、塵芥の溜りやカビ、汚れが目立たず、まして、清掃性を向上できるというもの（特許文献１）である。【０００４】
【特許文献１】  特開２００７−２５５０２８
【発明の開示】
【発明が解決しようとする課題】
【０００５】  浴槽、洗面台ボウルなどの底面に排水口金具のフランジとの仕切目地がないようにされたといえども、浴槽、洗面台ボウルなどの底面に形成した陥没部の底面には、排水口金具のフランジとの仕切目地が形成されており、この仕切目地には、塵芥などが溜り、カビを発生し、水垢などによる汚れの原因とにもなって、不都合である。【０００６】  浴槽、洗面台ボウルなどの底面と排水口金具のフランジとの仕切目地を問題視し、それを解決したかに見受けられたが、それは、仕切目地が浴槽、洗面台ボウルなどの底面に顕われていないというだけで、陥没部の底面には、仕切目地が存在し、問題を解消したわけではない。【０００７】  本発明は、排水口金具のフランジとその取付面とによる仕切目地がモール材で埋められて顕現されないようにし、その滑らかな面で目立たないようにして、シームレス化されることを目的とするものである。
【課題を解決するための手段】
【０００８】  本発明の排水口構造は、水槽底面に陥没部を形成し、該陥没部の底面の排水口縁が排水口金具と排水管に接続する接続部材とをもって固定され、該陥没部の底面の排水口縁を固定した排水口金具のフランジには、その頂面及び外側周面に、軟硬質のモール材がモールされ、陥没部側面との間隙を埋め、シームレス化するものである。【０００９】  本発明の排水口構造は、排水口金具のフランジには、その頂面及び外側周面に、予め、軟硬質のモール材をモールし、該モール材付き排水口金具と排水管に接続する接続部材とをもって、陥没部底面の排水口縁が固定され、陥没部底面に固定された排水口金具のフランジ頂面及び外側周面にモールされたモール材を陥没部側周面に馴染ませ、頂面のモール材からの環状舌片による密着でシームレス化するものである。【００１０】  本発明の排水口構造は、排水口金具のフランジには、その頂面、外側周面、及び内側周面に軟硬質のモール材がモールされるものである。【００１１】  本発明の排水口構造は、排水口金具のフランジには、その外側周面と底面とに水槽と同色で軟硬質のモール材がモールされるものである。【００１２】  本発明の排水口構造は、排水口金具のフランジには、その頂面、外側周面、内側周面、及び底面に水槽と同色で軟硬質のモール材がモールされるものである。
【発明の効果】
【００１３】  本発明の排水口構造は、陥没部底面の排水口縁を固定した排水口金具には、そのフランジ頂面及び外側周面に、軟硬質のモール材がモールされ、陥没部側周面との間隙（仕切目地）を埋め、シームレス化することによって、塵芥の溜まる余地がなくなり、また間隙が滑らかな面で覆われるがために水滴も溜まらず流れてしまうのでカビを発生せず、その上、水垢による汚れをも生じない。【００１４】  排水口金具のフランジ頂面及び外側周面に、軟硬質のモール材をモールするだけで陥没部側周面との間隙（仕切目地）を埋めて滑らかな面にし、部品点数を少なくしてシームレス化でき、その上、シール性の確保と共に施工作業の容易性が得られる。【００１５】  本発明の排水口構造は、排水口金具のフランジ頂面、外側周面、及び内側周面には、予め、軟硬質のモール材をモールし、該モール材付き排水口金具と接続部材とをもって陥没部底面の排水口縁が固定されるので、一層の作業性を向上し、軟硬質のモール材であるが故に、モール材の頂面部分の環状舌片を陥没部側周面に馴染ませることができ、フィットし、滑らかな面の仕上がりとなってシームレス化することができる。【００１６】  本発明の排水口構造は、排水口金具のフランジ頂面、外側周面、及び内側周面に軟硬質のモール材がモールされるので、フランジへの付着性、陥没部側周面への密着性を向上できて、施工作業の容易性、及び迅速性を得られる。【００１７】  本発明の排水口構造は、水槽と同色で軟硬質のモール材を排水口金具のフランジ外側周面、底面、或いは、フランジ頂面、外側周面、内側周面、及び底面にモールすることによって、パッキン材としての機能を果すことができる。
なお、排水口金具フランジが、モール材を頂面、外側周面、内側周面、及び底面に被包するようにモールされるので、フランジへの付着性が優れて、施工の容易性と迅速化を得ることができる。
【発明を実施するための最良の形態】
【００１８】  本発明の排水口構造は、水槽底面に陥没部が形成され、該陥没部の底面に排水口を設け、この排水口縁がフランジ付き排水口金具と接続部材（締結部材）とをもって固定され、該フランジ付き排水口金具のフランジには、水槽と同色で軟硬質のモール材がモールされて、シームレス化することを特徴とするものである。
【実施例１】
【００１９】  実施例１による排水口構造は、図１、２に示す如く、水槽底面１に陥没部２が形成され、該陥没部には、その底面に排水口３を設け、その排水口縁３１が、排水口３に挿着した排水口金具４のフランジ４１と、排水管へ接続する接続部材５とで固定される。
排水口縁３１を接続部材５で固定するには、パッキン６が介在される。
陥没部２の排水口縁３１が固定されるフランジ付き排水口金具４のフランジ４１には、水槽と同色で軟硬質のモール材７がモールされ、該フランジ４１と陥没部２側周面との間隙を埋める。そのモール材７は、フランジ４１の頂面部分７１と、外側周面部分７２と、内側周面部分７３とが施される。頂面部分７１の外側には環状舌片７１１を形成し、陥没部２側面に馴染ませ、シームレスにする。また、内側周面部分７３の下側には環状舌片７３１を形成し、フランジ４１内側周面に馴染ませ、シームレスにする。
ところで、排水口金具４のフランジ４１頂面、外側周面、及び内側周面に、予め、水槽と同色で軟硬質のモール材７をモールし、該モール材付き排水口金具４と接続部材５とをもって、陥没部２底面の排水口縁３１が固定されてもよく、施工の容易性と、迅速性を得ることができる。
よって、排水口金具のフランジ４１にモール材７がモールされ、施すことによって、フランジ４１と陥没部２２側周面との間隙３２が埋められ、シームレス化され、間隙３２に塵芥が溜められることなく、カビの発生を阻止し、その揚句、水垢による汚れ防止にもなる。
なお、排水口金具４のフランジ４１には、その頂面及び外側周面にのみ、軟硬質のモール材７がモールされるものであってもよいことは云うまでもない。
【実施例２】
【００２０】  実施例２による排水口構造は、図３，４に示す如く、水槽底面１に形成した陥没部２底面の排水口縁３１が排水口金具１４と接続部材５とで固定されるに当って、排水口金具１４が陥没部２の排水口３に挿着されるが、予め、排水口金具１４のフランジ１４１には、水槽と同色で軟硬質のモール材１７をモールする。このモール材付き排水口金具１４と接続部材５とをもって陥没部底面の排水口縁３１が固定される。
モール材付排水口金具１４には、フランジ１４１にモール材１７がモールされ、該モール材１７は、フランジ４１の外側周面部分１７２と底面部分１７４とでなり、外側周面部分１７２の上側には環状舌片１７２１を形成し、モール材付き排水口金具１４が陥没部排水口３１に挿着され、固定されるに当って、モール材１７の外側周面部分１７２の上側に形成された環状舌片１７２１を陥没部２の内側周面へ馴染ませて、フランジ１４１と陥没部２内側周面との間隙３２を埋め、シームレスにし、間隙に溜る塵芥をなくし、カビの発生がなく、水垢による汚れをも防止できる。
なお、底面部分１７４は、パッキンの役目をし、シールクッションに寄与する。
【実施例３】
【００２１】  実施例３による排水口構造は、図５，６に示す如く、陥没部２の底面の排水口３１に挿着する排水口金具２４が、そのフランジ２４１に、予め、水槽と同色で軟硬質のモール材２７をモールして準備される。このモール材付き排水口金具２４と接続部材５とをもって陥没部２の底面に形成された排水口縁３１がパッキン６を介して固定される。
モール材２７は、排水口金具２４のフランジ２４１をモールし、フランジの頂面部分２７１と、外側周面部分２７２と、内側周面部分２７３と、底面部分２７４とでなる。
頂面部分２７１の外側には、環状舌片２７１１を形成し、該環状舌片がモール材付き排水口金具２４を陥没部２の排水口縁３１に挿着、固定するときに、陥没部２の側面と馴染み、フィットし、シームレス化する。
また、内側周面部分２７３の下側には、環状舌片２７３１を形成し、該環状舌片が排水口金具２４のフランジ２４１の内周面に馴染み、シームレス化される。
よって、モール材付き排水口金具２４が陥没部２の排水口縁３１に挿着固定されることによって、排水口金具のフランジ２４１と陥没部２内周面との間の間隙である仕切目地をモール材２７が埋め、シームレスにする。したがって、シームレス化することによって、塵芥が溜らず、カビも発生せず、更に、水垢による汚れも防止することができる。
【図面の簡単な説明】
【００２２】
【図１】  陥没部底面の排水口縁が排水口金具をもって固定され、モール材をモールした構成図である。
【図２】  排水口金具のフランジにモール材がモールされた拡大構成図である。
【図３】  陥没部底面の排水口縁がモール材付き排水口金具をもって固定された構成図である。
【図４】  モール材付き排水口金具を固定する拡大構成図である。
【図５】  陥没部底面の排水口縁がフランジ全体をモール材でモールしたモール材付き排水口金具によって固定された構成図である。
【図６】  フランジ全体をモール材でモールしたモール材付き排水口金具によって固定される拡大構成図である。
【符号の説明】
【００２３】１          水槽底面
２          陥没部
３          排水口
３１        排水口縁
３２        間隙
４          排水口金具
４１        フランジ
５          接続部材
６          パッキン
７          モール材
７１        頂面部分
７１１      環状舌片
７２        外側周面部分
７３        内側周面部分
７３１      環状舌片
１４        排水口金具
１４１      フランジ
１７        モール材
１７２      外側周面部分
１７２１    環状舌片
１７４      底面部分
２４        排水口金具
２４１      フランジ
２７        モール材
２７１      頂面部分
２７１１    環状舌片
２７２      外側周面部分
２７３      内側周面部分
２７３１    環状舌片
２７４      底面部分
【図１】
2010037919.tif 000003
【図２】
2010037919.tif 000004
【図３】
2010037919.tif 000005
【図４】
2010037919.tif 000006
【図５】
2010037919.tif 000007
【図６】
2010037919.tif 000008